(57)【要約】【課題】  着信音だけで、相手先が容易に認識することができる着信メロディデータを生成することができるデータ供給サーバ及びプログラムを提供することを目的としている。【解決手段】  着信メロディデータとして、使用者が自ら録音した肉声を用いて着信メロディデータを生成可能とし、その着信メロディデータの識別能力を向上させるようにする。より具体的には、前記肉声データは、各々の携帯電話機からデータ供給サーバが受信したものを使用するようにして、その着信メロディデータの識別力を向上させる。【選択図】          図３
2006025132.tif 000002
【特許請求の範囲】
【請求項１】
携帯電話機を含む携帯通信端末機から送信されてきた音声データを受信するための受信手段と、
着信メロディデータを記憶する記憶手段と、
前記受信手段により受信した音声データと前記記憶手段に記憶された着信メロディデータとを合成して合成着信メロディデータを形成する合成手段と、
前記合成着信メロディデータを前記音声データの送信元の携帯通信端末機又は当該携帯通信端末機により指定された携帯通信端末機に対して送信するための送信手段と、
を備えたことを特徴とするデータ供給サーバ。
【請求項２】
前記記憶手段には予め複数の着信メロディデータが記憶されており、当該複数の着信メロディデータの中から所望の着信メロディデータを選択するための選択案内データを、前記送信元の携帯通信端末機に対して送信する選択案内データ送信手段と、
前記選択案内データに基づき前記携帯通信端末機から送信されてきた選択結果データを受信する選択結果データ受信手段と、
をさらに備え、
前記合成手段は、前記複数の着信メロディデータの中から前記受信した選択結果データに対応した着信メロディデータを選択して、前記受信した音声データと合成することによって合成着信メロディデータを形成する請求項１に記載のデータ供給サーバ。
【請求項３】
携帯電話機を含む携帯通信端末機から送信されてきた音声データ及び着信メロディデータを受信するための受信手段と、
前記受信手段により受信した音声データと着信メロディデータとを合成して合成着信メロディデータを形成する合成手段と、
前記合成着信メロディデータを前記音声データの送信元の携帯通信端末機又は当該携帯通信端末機により指定された携帯通信端末機に対して送信するための送信手段と、
を備えたことを特徴とするデータ供給サーバ。
【請求項４】
受信又は通話用マイクにより入力された音声データ、及び着信メロディデータを記憶する記憶手段と、
前記記憶手段に記憶された音声データと着信メロディデータとを合成して合成着信メロディデータを形成する合成手段と、
を備えたことを特徴とする携帯通信端末機。
【請求項５】
携帯電話機を含む携帯通信端末機から送信されてきた音声データを受信する受信受信ステップと、
前記受信した音声データと記憶手段に予め記憶された着信メロディデータとを合成して合成着信メロディデータを形成する合成ステップと、
前記合成着信メロディデータを前記音声データの送信元の携帯通信端末機又は当該携帯通信端末機により指定された携帯通信端末機に対して送信する送信ステップと、
を含むことを特徴とするデータ供給方法。
【請求項６】
携帯電話機を含む携帯通信端末機から送信されてきた音声データを受信するための手順と、
前記受信した音声データと記憶手段に予め記憶された着信メロディデータとを合成して合成着信メロディデータを形成するための手順と、
前記合成着信メロディデータを前記音声データの送信元の携帯通信端末機又は当該携帯通信端末機により指定された携帯通信端末機に対して送信するための手順と、
を含み、これら手順をコンピュータに実行させるためのプログラム。
【発明の詳細な説明】
【技術分野】
【０００１】
この発明は、携帯電話機などの携帯通信端末機で用いる音声を含む着信メロディを生成する技術に関し、より詳細には、肉声データなどの音声データとメロディデータ（以下、「着メロ」ともいう）とを合成し、オリジナリティに富んだ音声を含む着信メロディ（合成着信メロディデータ）を生成できるデータ供給サーバ、携帯通信端末機、データ供給方法及びプログラムに関し、特にインターネット通信回線網等の広域回線やローカルネットワークを通じて、携帯電話機等の携帯端末に着信メロディデータを転送するための携帯電話用着信メロディデータ生成プログラム及びデータ供給サーバ並びにデータ供給方法に関する。
【背景技術】
【０００２】
近年、電話機は、複数の人間が共用して使用する常設電話機から個々の人間の一人一人に携帯されて所持される携帯電話機に移行しつつある。このため、携帯電話機においては、予め複数の着信音を記憶させておき、使用者の好みで着信音を選択して使用できるようにすることにより周りの人の携帯電話機への着信音と異ならせることが可能とされている。また、電話をかけてくる相手毎に異なる着信音として、電話をかけてきた相手を着信音で識別することができるようにもされている。
【０００３】
しかしながら、このような着信音を複数予め記憶させておくことは、携帯電話機内のメモリ容量を多大に使用することから好ましくなく、また、全ての使用者が好む着信音を用意するためには、より多数の着メロを記憶させておくことが好ましいといった裏腹な問題が存在していた。
【０００４】
そこで、予め携帯電話機機内のメモリに多数の着メロを予め用意するのではなく、着メロに拘りのある使用者に対しては、インターネット通信回線網を含む広域回線などの通信回線を通じて、好みの着メロを選択させてダウンロードさせるといった方式が提案されている（特許文献１）。
【０００５】
しかも、着メロを各々の携帯電話機で異ならせるというのは、上述したように各々の携帯電話機に同時着信した場合に、自分の携帯電話機への着信なのか他人の携帯電話機への着信なのかを識別するといった機能的な役割、或いは、その発展型として着信した相手の電話番号に応じて予め着メロを異ならしめ、着メロで着信相手を識別するといった役割を発端としたものであったが、最近では、ファッションのように服を着せ替えるといった感覚で、着メロを変更することが行われている。
【０００６】
また、ゲーム結果として作成されたオリジナル着信メロディデータを携帯電話機に配信するサーバ装置も知られている（特許文献２）。
【０００７】
更に、ＭＤやＣＤ等の顧客持参メディアから曲名を選択して着メロとして設定するものも知られている（特許文献３）。
【０００８】
加えて、着声作成手段を備えた情報端末が提案されている（特許文献４）
【特許文献１】特開２００２−２１８１０７号
【特許文献２】特開２００２−１４０４５５号
【特許文献３】特開２００２−２０７４８９号
【特許文献４】実用新案登録第３０９７５２３号
【発明の開示】
【発明が解決しようとする課題】
【０００９】
上述したように、近年、着メロをサーバからダウンロードするといったことが一般的な着メロの取得方法になりつつあるが、これに伴い、各携帯電話機通信網提供メーカ（所謂、携帯電話キャリアと呼ばれる会社）が競って、特徴のある着メロを提供するようになってきた。例えば、和音数を増やした着メロを提供したり、「着うた」と呼ばれる歌声を含む曲からなる着メロを提供したり、或いは、楽調をサンバ調やヒップホップ調にして提供するといったサービスが行われるようになってきている。
【００１０】
このような状況から、更なる、着メロとしての特徴を出すべく、着メロ供給メーカは開発を進めている。
【００１１】
しかし、各携帯電話機通信網提供メーカや着メロ提供サーバを運営する業者側から、携帯電話機の使用者に選択させて行う場合には、その選択の幅を広げるために多様な種類や数の着メロを予め用意する必要があるため、その数が多すぎると携帯電話機のディスプレーの大きさが比較的小さいこともあって、その選択数を多くするには限界があった。
【００１２】
また、着メロのオリジナリティ性を高めるために、上記特許文献２のようにゲーム上で作成したり、特許文献３のようにＭＤやＣＤ等の顧客持参メディアから所望の曲を選択させたりすることが提案されたり、さらに、特許文献４のように、音声を着声として携帯電話機に転送させるようにすることが提案されている。
【００１３】
しかし、上記特許文献２は、ゲーム上での個人評価パラメータ値に基づいて曲を提供するものであるので、提供される着メロが景品的な意味合いが強く、その曲が必ずしも気に入ったものであるとは限らないといった問題がある。
【００１４】
また、上記特許文献３は、サービス提供者の所在地までＭＤ等を持参する必要があり、利用者は手間隙を要することとなる。
【００１５】
さらに、上記特許文献４では、声がマイクを通じて録音されその声を着メロ（着声）として使用できるデータに変換することが提案されているものの、声だけを着信時の着メロとしても味気ないものとなってしまうことが予測できる。このような着メロの場合には、他人に聞かれた場合に体裁が悪いといった問題がある。
【００１６】
以上のような問題に鑑み、本発明は、オリジナリティに富んだ着メロを生成できるようにすること、周囲の人の携帯電話機と区別できて着信を知りえる着メロを生成できるようにすること、及び着信相手を識別しやすい着メロを生成できるようにすることを目的とする。
【課題を解決するための手段】
【００１７】
上記目的を達成すべく、本発明者は、着信相手の声を着メロに用いることにより着信相手の識別可能数が向上できること、この着信相手の声にメロディを付加することにより周囲の人に着メロを聞かれた場合であっても体裁を保ちやすいことに着目した。つまり、メロディに着信相手の声を付加した着メロとすることにより、着信相手毎にオリジナリティに富む異なる着メロを作り出すことができ、これら着メロを着信した相手に応じて個別に設定するようにすれば、従来の着メロにより識別できる相手の数を飛躍的に向上できると考えた。
【００１８】
本発明は、従来のように使用者が複数の着メロから選択した一つの着メロと着信相手の肉声とを合成して肉声付着信メロディデータを生成できる携帯通信端末機、形態通信端末機とサーバとのデータの往復通信によって、当該サーバ内合成して肉声付着信メロディデータを生成して提供させることを特徴とするものである。
【００１９】
すなわち、本発明は、以下の（１）〜（６）のデータ供給サーバ、携帯通信端末機、データ供給方法及びプログラムに係るものである。
【００２０】
（１）携帯電話機を含む携帯通信端末機から送信されてきた音声データを受信するための受信手段と、着信メロディデータを記憶する記憶手段と、前記受信手段により受信した音声データと前記記憶手段に記憶された着信メロディデータとを合成して合成着信メロディデータを形成する合成手段と、前記合成着信メロディデータを前記音声データの送信元の携帯通信端末機又は当該携帯通信端末機により指定された携帯通信端末機に対して送信するための送信手段と、を備えたことを特徴とするデータ供給サーバ。
【００２１】
（２）前記記憶手段には予め複数の着信メロディデータが記憶されており、当該複数の着信メロディデータの中から所望の着信メロディデータを選択するための選択案内データを、前記送信元の携帯通信端末機に対して送信する選択案内データ送信手段と、前記選択案内データに基づき前記携帯通信端末機から送信されてきた選択結果データを受信する選択結果データ受信手段と、
をさらに備え、前記合成手段は、前記複数の着信メロディデータの中から前記受信した選択結果データに対応した着信メロディデータを選択して、前記受信した音声データと合成することによって合成着信メロディデータを形成する上記（１）に記載のデータ供給サーバ。
【００２２】
（３）携帯電話機を含む携帯通信端末機から送信されてきた音声データ及び着信メロディデータを受信するための受信手段と、前記受信手段により受信した音声データと着信メロディデータとを合成して合成着信メロディデータを形成する合成手段と、前記合成着信メロディデータを前記音声データの送信元の携帯通信端末機又は当該携帯通信端末機により指定された携帯通信端末機に対して送信するための送信手段と、を備えたことを特徴とするデータ供給サーバ。
【００２３】
（４）受信又は通話用マイクにより入力された音声データ、及び着信メロディデータを記憶する記憶手段と、前記記憶手段に記憶された音声データと着信メロディデータとを合成して合成着信メロディデータを形成する合成手段と、を備えたことを特徴とする携帯通信端末機。
【００２４】
（５）携帯電話機を含む携帯通信端末機から送信されてきた音声データを受信する受信受信ステップと、前記受信した音声データと記憶手段に予め記憶された着信メロディデータとを合成して合成着信メロディデータを形成する合成ステップと、前記合成着信メロディデータを前記音声データの送信元の携帯通信端末機又は当該携帯通信端末機により指定された携帯通信端末機に対して送信する送信ステップと、を含むことを特徴とするデータ供給方法。
【００２５】
（６）携帯電話機を含む携帯通信端末機から送信されてきた音声データを受信するための手順と、前記受信した音声データと記憶手段に予め記憶された着信メロディデータとを合成して合成着信メロディデータを形成するための手順と、前記合成着信メロディデータを前記音声データの送信元の携帯通信端末機又は当該携帯通信端末機により指定された携帯通信端末機に対して送信するための手順と、を含み、これら手順をコンピュータに実行させるためのプログラム。
【００２６】
本発明における上記音声データとして、携帯通信端末機に設けられたマイクを利用し、マイクから入力された肉声データなどの音声データを用いることができる。また、通話時の会話中の肉声データを用いることができる。これら音声データは、携帯通信端末機の所有者本人、通話相手を含む他人等の様々な音声からなるものとし得る。例えば、携帯電話機に備えられた通話用のマイクから携帯電話機の使用者又は当該携帯電話機に電話番号が登録されている通話相手の肉声を吹き込み、これを音声データとしてメロディデータと合成するようにすれば、あるメロディに使用者又は通話相手の声による替え歌など生成することができ、携帯電話機の着信音として通話相手毎に異なるテーマソングを利用することもできる。
【発明の効果】
【００２７】
この発明によれば、携帯通信端末機の使用者任意の（所望の）音声データ及び着信メロディデータとを合成したオリジナリティに富んだ合成着信メロディデータを携帯通信端末機の着信メロディとして利用できるようにし得るので、上記音声データを当該携帯通信端末機の使用者の肉声や着信相手の肉声からなる音声データ（肉声データ）としておくことにより、周囲の人の携帯通信端末機における着信メロディと差別化した着信メロディを利用でき、例えば、同じ年代や同じ趣味を有する人間が集まった場合に、それらの人間で着信音として同じメロディが設定されていることがあったとしても、そのメロディにある肉声データを合成して合成着信メロディデータを生成しているので、全く同じ着信音である可能性が低いものとなって、自分の携帯電話機に着信したのかどうかの識別が容易となるとともに、オリジナリティの高い合成着信メロディを作成しようとする興趣を向上させることが可能となる。
【００２８】
また、携帯電話機内に記憶される複数の通話先電話番号データに対応した各々の肉声ボイスを、その電話番号を使用する相手先の肉声とすることも可能となり、そのように電話番号に対応する肉声をその電話番号の相手そのものの肉声とすれば、着信音だけで着信相手を判別することができる。このような利点は、近年、運転中に携帯電話機で受話することが道路交通法上での規制がかけられるようになった現在では、極めて有用なものとなる。すなわち、通常は運転中に電話に出ることはないが、携帯電話機のモニター（ディスプレー）を見る必要なく、着信音を聞けば着信相手を認識でき、着信があった場合にその相手に応じては運転中の車を道のかたわらに駐車して受話したり、或いは、留守番モード（ドライブモードを含む）にした状態で携帯電話機に電話がかかってきた場合に、着信音で相手を確認し、その後できるだけ早い時間差で着信相手に電話をかけ直したりするといった利用が可能となり、世の営業マンの方々などにとっては顧客の重要度や緊急度などに応じた有用な利用ができ、顧客の気分を害することを低減できたり、重要な用件を聞き逃す危険性を低減できたりと便性の高いものとなる。
【発明を実施するための最良の形態】
【００２９】
図１乃至図６に基づいて以下本発明を適用した実施の形態について説明する。図１において、１は広域通信回線網としてのインターネット通信回線網を示している。この実施の形態では、インターネット通信回線網に本発明のデータ供給サーバを適用したものを例示するが、本発明はこのような広域通信回線網に限らず、ローカルネットワークの通信回線網に適用することもできるのは勿論である。
【００３０】
前記インターネット通信回線網１には、複数のデータ供給サーバ１０，・・・，１０が接続されているとともに、個人個人が所有する複数の携帯電話機２０が中継局２を介して接続されて、携帯電話機２０を前記複数のデータ供給サーバ１０，・・・，１０に接続することができる。このような接続方式は、周知であるので詳しい説明は省略する。
【００３１】
前記データ供給サーバ１０のハード構成を示すのが図２である。このデータ供給サーバ１０は、ＣＰＵ１１Ａと、制御プログラムや着信メロディデータと肉声データとの合成パターンが異なる複数の合成プログラム、及び、当該複数の合成プログラムの合成パターン選択画面データを記憶したＲＯＭ１１Ｂ（リードオンリーメモリ）と、前記ＣＰＵ１１ＡのワークエリアとしてのＲＡＭ１１Ｃとで構成される制御手段１１と、ディスプレー１２、複数の着信メロディデータを記憶したＢＧＭデータベース１３、携帯電話機２０から受信される肉声データを記憶し格納する肉声データデース１４、予め複数の俳優や女優又はアニメの声がボイスデータとして記憶されているキャラクタボイスデータベース１５、前記合成プログラムによって合成された合成着信メロデータを一時的に記憶するバッファメモリ１６、当該合成着信メロディデータを外部の携帯電話機２０に送信するとともに、前述した携帯電話機２０から送信される肉声データを受信する送受信のための通信インターフェース１７とを主な構成としている。前記肉声データベース１４には、マイクにより入力された肉声データを端末又は携帯電話機から通信回線としての通信回線網１を介して受信し、この受信した肉声データを順次格納する場合には、複数の当該肉声データから一の肉声データをランダムアクセス可能なようにヘッダ情報と関連して格納している。
【００３２】
前記合成プログラムは、携帯電話機２０が通信手段としての通信インターフェース１７により接続されたことを条件として、複数の着信メロディデータを記憶したＢＧＭデータベース１３に予め記憶された複数の着信メロディデータの中から所望の着信メロディデータを選択させるための選択画面データを抽出して、接続された携帯電話機２０に前記選択画面データを送信する機能を備えている。この選択画面データは携帯電話機２０の液晶ディスプレー（表示画面）２５に表示される。
【００３３】
また、同合成プログラムは、前記選択画面データを携帯電話機２０に送信した後に、前記選択画面データを送信した携帯電話機２０から、当該携帯電話機２０の入力手段（操作スイッチ群２５）による当該携帯電話機２０の使用者の入力によって、前記複数の着信メロディデータの中から一つの着信メロディデータの選択信号を受信してバッファメモリ１６に記憶する機能を備えている。この選択信号は、前記選択画面データに基づいて携帯電話機２０の液晶ディスプレー２５に表示された選択画面を使用者が視認しつつ入力手段（例えば、多方向スイッチやボタンスイッチ）によって選択することによって発生する。
【００３４】
さらに、前記合成プログラムは、前記選択信号を受信したことを契機として、合成着信メロディの楽調をサンバ調、ヒップホップ調などの複数の合成パターンのうちいずれの合成パターンに変換するか、或いは変換しないかを選択させるための合成パターン選択画面を前記携帯電話機２０の液晶ディスプレー２５に表示させるために、前記合成パターン選択画面データを携帯電話機２０に送信する機能と、この合成パターン選択画面を使用者が視認しつつ選択された合成パターン選択信号を携帯電話機２０から受信する機能と、前記合成パターン選択信号に応じた合成パターンによって、前記バッファメモリ１６に記憶した前記着信メロディデータの選択信号、及び、肉声データのヘッダ情報に応じて、前記ＢＧＭデータベース１３及び肉声データデース１４から抽出し、合成手段としての前記制御手段１１の制御のもとに合成された前記合成着信メロディデータをバッファメモリ１６に格納する機能とを備えている。そして、合成手段としての制御手段１１及び前記合成プログラムは、肉声データと着信メロディデータとを合成するために同一のデータ形式に変換するデータ形式変換機能を有している。
【００３５】
肉声データベース１４には、予め携帯電話機２０の使用者が自分の声や家族の声或いは恋人の声などの一又は複数のボイスデータをヘッダ情報とともに適宜抽出可能な状態で格納させておくことができ、通信相手である携帯電話機の認証情報等に応じて携帯電話機毎又はその使用者毎にボイスデータを利用できるようにしておき、このボイスデータとＢＧＭデータベース１３内に記憶された着信メロディデータとを前述した合成プログラムを合成手段としての制御手段が実行して合成し、この合成した合成着信メロディデータを携帯電話機２０に送信することによって、受信した合成着信メロデータを着信音として当該携帯電話機２０で使用することが可能となるようにすることができる。
【００３６】
図３に示すのは、携帯電話機２０のハードブロック図であり、ＣＰＵ２１Ａと各種プログラムが格納されたＲＯＭ２１ＢとＣＰＵ２１ＡのワークエリアとなるＲＡＭ２１Ｃとからなる制御手段２１と、通話用スピーカ２２、本発明におけるマイクに相当するマイクロフォン２３、音楽用スピーカ２４、液晶ディスプレー２５、前記操作手段としての操作スイッチ群２６、外部記憶手段としてのメモリーカード用のスロット２７、及びアンテナを含む送受信手段２８とから構成されている。前記選択画面や合成パターン選択画面は、液晶ディプレー２５に表示され、この表示される選択画面を携帯電話機２０の使用者が視認しつつ、入力手段としての操作スイッチ群２６を操作して、使用者自身の意思によって選択入力を実行することができる。そして、選択入力された選択情報は、送受信手段２８を介して中継局２を経てインターネット通信回線網からデータ供給サーバ１０へ送信される。
【００３７】
前記ＲＯＭ２１Ｂには、通常待ち受け状態の通常待受モードから所謂留守又はドライビングモードに操作手段として操作スイッチ群２６の操作によって実行可能な留守又はドライビングモード切替プログラムが格納されている。このプログラムを操作手段としての操作スイッチ群の操作によって制御手段としての２１Ａが実行し、通常待受モードから留守又はドライビングモードに変更することができる。このような留守又はドライビングモードでは、前記ＣＰＵ２１Ａが前記プログラムを実行することによって、予め設定された時間の間、着信メロディをスピーカ２４で表示し、携帯電話機２０への着信を報知するが、その設定された時間を経過すると、予め記憶手段としてのＲＯＭ２１Ｂに記憶した所定の音声メッセージを着信先の電話に送信した後、その着信先からの返信音声メッセージを受信した場合には、記憶手段としてのＲＡＭ２１Ｃに記憶するように制御される。
【００３８】
また、ＲＡＭ２１Ｃには、アドレス記憶領域が設定されており、予め複数の電話番号と相手先名及びその電話番号から着信があった場合の特定の着信メロディとを記憶できるように構成されている。このような構成及び技術は、現在の携帯電話機２０では周知の技術であるので詳細な説明は省略するが、この機能に本発明によって生成された肉声データと着信メロディとを合成した着信メロディデータを前記ＲＡＭ２１Ｃに記憶された、ある特定の電話番号に対応付け、且つ、その着信メロディデータが前記特定の電話番号を所有する人の肉声データを用いたものであるようにすれば、その携帯電話機２０に着信した着信先が誰なのかを当該携帯電話機２０のスピーカ２４から発せられる音声によって瞬時に判定することができるといった利点がある。このような肉声を利用した着信音の識別は、現状の携帯電話機２０で行われている相手の電話番号に応じて着信時のメロディを変更するようなものに比べて、例えば、「○×曲」のメロディであれば△□氏といった思考に比べて判別できる数を格段に多くすることができる。
【００３９】
次に、図４〜図６のフロー図に基づいて、着信メロディデータのダウンロードの流れについて説明する。
【００４０】
使用者が携帯電話機２０の電源スイッチをＯＮにして電源を立ち上げあげ、操作スイッチ群２６を操作してインターネット通信網１に接続するメニュー画面を液晶ディスプレー２５に表示させる（ステップＳ１）。このメニュー画面は、予め記憶手段としてのＲＯＭ２１Ｂ、又は外部記憶媒体に記憶されておりメモリーカードスロット２７を介してＲＡＭ２１Ｃに記憶され、この記憶された画像データに基づいて液晶ディスプレー２５に表示される。
【００４１】
次に、使用者が、前記メニュー画面を視認しつつ、そのメニュー画面の案内に沿って、操作スイッチ群２６の操作により合成着信メロディデータをダウンロード可能なデータ供給サーバ１０のインタ−ネット通信回線網でのアドレスを入力する（ステップＳ２）。そして、その入力されたアドレスのデータ供給サーバ１０への接続処理が制御手段２１の制御の基に実行される（ステップＳ３）。
【００４２】
一方、データ供給サーバ１０側では、携帯電話機２０からのアクセスがあるかどうかを随時判定しており、前記接続処理によって送信される接続要求信号の受信を判定すると（ステップＳ４）、その接続要求信号と共に受信する識別情報によって認証処理を制御手段１１が実行する（ステップＳ５）。この識別情報とは、例えば、携帯電話番号などを携帯電話機からのアクセスかどうかを判定したり、会員制度を導入している場合には、携帯電話機２０のＲＯＭ２１Ｂ又はＲＡＭ２１Ｃに対して自動的に予め記憶した複数の会員からある特定の会員を識別するための識別電子情報がこれに相当する。
【００４３】
認証が許可される（ステップＳ６）と、前述したように、複数の着信メロディデータを記憶したＢＧＭデータベース１３に予め記憶された複数の着信メロディデータの選択画面データ、及び、複数の肉声データを記憶した肉声データデース１４に予め記憶された識別情報毎に対応する複数の肉声データの選択画面データを抽出して初期画面データを準備する（ステップＳ７）。
【００４４】
次に、上記初期画面データを携帯電話機２０に送信する（ステップＳ８）。
【００４５】
そして、前記初期画面データを携帯電話機２０が受信して（ステップＳ９）、制御手段２１がその初期画面データを記憶手段であるＲＡＭ２１Ｃに記憶するとともに、その初期画面データに基づいて液晶ディスプレー２５に選択画面を表示する（ステップＳ１０）。
【００４６】
前記初期画面データに基づいて選択画面を携帯電話機２０の液晶ディスプレー２５に表示しつつ、当該携帯電話機２０の使用者がその選択画面を視認し、当該使用者の意思によって、合成するための所望の着信メロディデータと肉声データを操作スイッチ群２６の操作による選択を促し、この選択がなされたかどうかを制御手段２１が判定する（ステップＳ１１）。
【００４７】
選択が終了したと制御手段２１が判定すると、当該制御手段２１は所望の着信メロディデータと肉声データとの選択情報を選択信号として、データ供給サーバ１０に送信する（ステップＳ１２）。
【００４８】
この選択信号をデータ供給サーバ１０が受信する（ステップＳ１３）。前記複数の着信メロディデータ及び複数の肉声データの中から夫々一つの着信メロディデータ及び肉声データを特定する選択信号を受信すると、制御手段１１はその選択信号をバッファメモリ１６に記憶する。
【００４９】
選択信号の受信が完了したのち、制御手段１１は、複数の合成パターンの合成パターン選択画面を前記携帯電話機２０に表示させるために、前記合成パターン選択画面データを携帯電話機２０に送信する（ステップＳ１５）。この合成パターン選択画面データは、携帯電話機１０に受信され（ステップＳ１６）、液晶ディスプレー２５に合成パターン選択画面として表示される（ステップＳ１８）。そして、制御手段２１は、前記合成パターン選択画面を表示した後、携帯電話機１０の使用者が操作スイッチ群２６を利用して合成パターンが選択されたと判定すると（ステップＳ１９）、その合成パターン選択情報としての合成パターン選択信号をデータ供給サーバ１０に送信する（ステップＳ２０）。
【００５０】
この合成パターン選択信号を受信すると、制御手段１１は合成パターン選択信号をバッファメモリ１６に記憶し、先に記憶された前記着信メロディデータ及び肉声データとの選択信号に基づいてＢＧＭデータベース１３及び肉声データデース１４からデータを抽出し（ステップＳ２２−１）、選択された合成パターン選択信号によって特定される合成パターンプログラムに基づいて、合成手段としての前記制御手段１１が着信メロディデータと肉声データとを合成し（ステップＳ２２−２）、合成した前記合成着信メロディデータをバッファメモリ１６に格納する（ステップＳ２２−３）。このステップＳ２２−１からＳ２２−３が合成処理のステップＳ２２に相当する。
【００５１】
バッファメモリ１６に格納された合成着信メロディデータは、制御手段１１の制御に応じて通信相手先である携帯電話機２０に送信される（ステップＳ２３）。なお、ステップＳ２２とステップＳ２３との間に合成着信メロディデータの送信先を通信相手の携帯電話機２０側で指定させるための案内画面データをデータ供給サーバ１０から携帯電話機２０に送信するステップ、この案内画面データに基づき携帯電話機２０の液晶ディスプレー２５に案内画面を表示し、携帯電話機２０において、この案内にしたがって合成着信メロディデータの送信先携帯通信端末機のアドレス情報を入力させそのデータをデータ供給サーバ１０へ送信するステップ、データ供給サーバ１０において、送信されてきた送信先指定アドレスデータを受信し一旦適切な記憶手段に記憶するステップを加えることにより、上記ステップＳ２３において、指定先の携帯通信端末機に合成着信メロディデータを送信することもできる。
【００５２】
この送信された合成着信メロディデータを携帯電話機２０が受信し、ＲＡＭ２１Ｃに格納する（ステップＳ２４）。
【００５３】
格納された合成着信メロディデータは、ＲＯＭ２１Ｂに記憶された自動再生プログラムによって、自動的に再生され、再生終了と同時に、予めＲＯＭ２１Ｂに記憶された格納要否判断画面データに基づいて液晶ディスプレー２５に格納の要否を判定させる（ステップＳ２５）。
【００５４】
このように視聴させる機能を有する着メロのダウンロードサービスは多々あるが、この実施の形態のように、合成した後の状況が使用者の選択した合成パターンなどによって様々に変化する場合には更に有用なものとなる。そして、この合成着信メロディデータが使用者にとって気に入ったものではなく、先に選択した合成パターン、合成元となる肉声データ、或いは、着信メロディデータの何れかを変更して再合成する可能性があるので、このステップＳ２５における変形例としては、格納を拒否した場合に、予めＲＯＭ２１Ｂ内に記憶している変更画面データを使用して、液晶ディスプレー２５に変更画面を表示させ、先に選択した合成パターン、合成元となる肉声データ、或いは、着信メロディデータの何れかを変更させるか、或いは、一旦止めるかを操作スイッチ群２６の入力によって選択できるようにすることもできる。
【００５５】
このような選択の余地を残すために（再度の一からの選択作業を行わなくて済むように）、バッファメモリ１６に記憶された合成パターン、合成元となる肉声データ、或いは、着信メロディデータを識別するための選択情報は、制御手段１１の制御によって格納拒否と判定されるまで消去されないように制御することが重要である。
【００５６】
ステップＳ２６において、合成着信メロディデータが格納されると、データ供給サーバ１０と携帯電話機２０との通信を制御手段２１の制御によって終了する。
【００５７】
なお、上述した実施の形態では、音声データとして、予め複数の音声データを携帯電話機２０からデータ供給サーバ１０に送信しデータ供給サーバ１０側で記憶させた肉声データを利用するようにしているが、携帯電話機２０からその都度サーバ１０に送信させた音声データを一旦サーバ１０の記憶手段に記憶させるようにするなどしてこれを利用するようにしてもよい。例えば、上記ステップＳ６において認証許可された後に、音声データ送信案内画面データをデータ供給サーバ１０から携帯電話機２０に送信し、携帯電話機２０からデータ供給サーバ１０に音声データを送信させ、これを受信し一旦記憶手段に記憶させて音声データとして用いるようにすればよい。携帯電話機２０から音声データを送信させる場合は、音声データを携帯電話機２０に設けられたマイクロフォン２３から肉声を吹き込んで音声データを作成して携帯電話機２０の記憶手段に記憶させたものを送信させるようにしたり、通話時の会話を音声データとして記憶手段に記憶しておきこれを送信させるようにしたりすればよい。
【００５８】
また、上述した実施の形態では、音声データと着信メロディデータとの合成をデータ供給サーバ１０で行うようにしているが、この合成を携帯電話機（携帯通信端末機）で行うようにしてもよい。例えば、携帯電話機に上記データ供給サーバ１０の機能を持たせることにより、携帯電話機の記憶手段に音声データ及び着信メロディデータを記憶させ、これを携帯電話機内に格納されたプログラムによって所望のこれらデータ同士を選択して合成し、合成着信メロディデータを生成するようにしてもよい。
【産業上の利用可能性】
【００５９】
この発明は、近年、目覚しく広まっている携帯電話機に適用すると有用なもので、一人に一台の携帯電話機を所有するようになってきている状況でも、各々の携帯電話機での着信音の差別化を使用者自身の選択によって適用が可能にすることができるようになる。つまり、携帯電話機を提供する側が予め想定した数の着信メロディデータを用意しても、その予め用意するデータの数に限界があるし、流行している音楽を広域通信回線としてのインターネット通信回線網を通じてダウンロードするように構成したとしても、ダウンロードされる音楽は年代や性別などで同じ音楽に人気が集中するために、同じ場所に集まる人間が同じ着信メロディを設定してしまうといった課題を本発明は低減することができる。
【００６０】
また、相手先の着信がその相手先の肉声を含む合成着信メロディデータとすることができるため、その識別できる数は、個別の相手先によって着信メロディを異ならしめる方式に比べて格段に増大することが予測される。
【図面の簡単な説明】
【００６１】
【図１】本発明の実施の形態に係るネットワーク構成図を示す説明図である。
【図２】図１のネットワークに接続されるデータ供給サーバのハード構成図である。
【図３】図１のネットワークに接続される携帯電話機のハード構成図である。
【図４】本発明の実施の形態に係る合成着信メロディデータのダウンロードの流れを説明するためのフロー図である。
【図５】本発明の実施の形態に係る合成着信メロディデータのダウンロードの流れを説明するためのフロー図である。
【図６】本発明の実施の形態に係る合成着信メロディデータのダウンロードの流れを説明するためのフロー図である。
【符号の説明】
【００６２】
１    インターネット通信回線網
２    中継局
１０    データ供給サーバ
２０    携帯電話機
【図１】
2006025132.tif 000003
【図２】
2006025132.tif 000004
【図３】
2006025132.tif 000005
【図４】
2006025132.tif 000006
【図５】
2006025132.tif 000007
【図６】
2006025132.tif 000008